(57)【要約】【課題】ガタツキを伴うことなく、しかも簡単な構成で棚板を脱着自在に取り付けることができるようにする。【解決手段】取付パネル１４Ａ，１４Ｂに棚板取付用の孔３３を穿設し、棚板１０の背面側に前記棚板取付用の孔３３へ挿通することのできる係止片１１を設ける。この係止片１１は、棚板取付用孔３３の背面側上部の取付パネル１４Ａ，１４Ｂに係止するフック３４と、棚板取付用の孔３３内面に当接する揺動防止用のリブ３６Ａ，３６Ｂとを備えている。棚板取付用の係止片１１を、取付用孔孔３３へ挿通した後において、係止片１１のフック３４が取付パネル１４Ａ，１４Ｂの背面側に当接して係止し、棚板１０の落下が防止される。また係止片１０の揺動防止用のリブ３６Ａ，３６Ｂにより、棚板１０の左右方向の動きが規制され、ガタツクということがない。【選択図】　図１
2004024292.tif 000002
【特許請求の範囲】
【請求項１】
取付パネルに棚板取付用の孔を穿設し、棚板の背面側に前記棚板取付用の孔へ挿通することのできる係止片を設けて成り、該係止片は棚板取付用孔の背面側上部の取付パネルに係止するフックと、棚板取付用の孔内面に当接する揺動防止用のリブとを備えていることを特徴とする棚板の取付構造。
【請求項２】
取付パネルに棚板取付用の孔を穿設し、棚板の背面側に前記棚板取付用の孔へ挿通することのできる係止片を設けて成り、該係止片は棚板取付用孔の背面側上部の取付パネルに係止するフックと、棚板取付用の孔内に当接する揺動防止用のリブと、棚板取付用孔の隙間を隠蔽するための閉塞用のリブとを有していることを特徴とする棚板の取付構造。
【請求項３】
取付パネルに棚板取付用の孔を穿設し、棚板の背面側に前記棚板取付用の孔へ挿通することのできる係止片を設けて成り、該係止片は棚板取付用孔の背面側上部の取付パネルに係止するフックと、棚板取付用の孔内に当接する揺動防止用のリブと、棚板取付用孔の内周面に弾性的に当接し得る浮き上がり防止用の弾性片とを有していることを特徴とする棚板の取付構造。
【発明の詳細な説明】
【０００１】
【発明の属する技術分野】
本発明は、脱着自在な棚板の取付構造に関するものである。
【０００２】
【従来の技術】
従来、キャビネット等に用いられる棚板として、実開平６−１３６２５号公報に掲載された技術がある。この先願技術は、図６に示すように、棚板１の背面側に階段状に折り曲げ形成した受金具のフック片２を取り付け、これを取付パネル３に設けたスリット４に差し込むことで、脱着自在としている。なお、図６では、取付パネル３の表裏両面に棚板１を係止できるように、一方側のフック片２は左右両端側に位置し、他方側のフック片２は、前記左右両端側のフック片２，２どうしの間に位置するようにしている。
【０００３】
また、従来にあっては、図７に示すように、便器本体５の後部上面に載置される洗浄タンク６を箱状のキャビネット７で覆い、このキャビネット７とトイレ室壁面８との間に、別の収納用のキャビネット９を配設し、この収納用のキャビネット９内にダボ（図示せず）等を用いて棚板を脱着自在に取り付けるようにしている。
【０００４】
【発明が解決しようとする課題】
図６に示す従来の棚板の取付構造にあっては、階段状のフック片２をスリット４へ差し込んで取り付けるだけであり、差し込みを容易にするためにスリット４の大きさが予め大きく形成されているので、取り付け後に棚板１がガタツクという欠点があった。
【０００５】
一方、図７に示す従来の技術にあっては、トイレ室の横幅寸法が建物の間取りや現場において異なるため、トイレ室壁面８とキャビネット７の側面板との間に収納キャビネット９等を配設する場合には、予め現場の寸法に合わせた収納キャビネット９の大きさに製造するか、若しくは寸法の異なる収納キャビネット９を複数種類準備しておき、選択して現場寸法に合わせるようにしなければならなかった。しかも、棚板は収納キャビネット９内にダボ等を用いて脱着自在に取り付けられるものであり、棚板のみが外部へ露呈して小物品等を簡単な構成で載置できるような構造ではなかった。
【０００６】
【課題を解決するための手段】
本発明は従来の前記課題に鑑みてこれを改良除去したものであって、ガタツキを伴うことなく、しかも簡単な構成で棚板を脱着自在に取り付けることのできる取付構造を提供せんとするものである。
【０００７】
前記課題を解決するために本発明が採用した請求項１の手段は、取付パネルに棚板取付用の孔を穿設し、棚板の背面側に前記棚板取付用の孔へ挿通することのできる係止片を設けて成り、該係止片は棚板取付用孔の背面側上部の取付パネルに係止するフックと、棚板取付用の孔内面に当接する揺動防止用のリブとを備えていることを特徴とする棚板の取付構造である。
棚板取付用の係止片は、取付パネルの孔に挿通することが可能である。挿通した後において、係止片のフックが取付パネルの背面側に当接して係止するので、棚板の落下が防止される。また係止片には、取付用孔の内面に当接する摺動防止用のリブが設けられているので、棚板の左右方向の動きが規制され、ガタツクということがない。
【０００８】
本発明が採用した請求項２の手段は、取付パネルに棚板取付用の孔を穿設し、棚板の背面側に前記棚板取付用の孔へ挿通することのできる係止片を設けて成り、該係止片は棚板取付用孔の背面側上部の取付パネルに係止するフックと、棚板取付用の孔内に当接する揺動防止用のリブと、棚板取付用孔の隙間を隠蔽するための閉塞用のリブとを有していることを特徴とする棚板の取付構造である。
この請求項２の発明によれば、棚板を取り付けた後に正面側から棚板取付用孔を見たときに、閉塞用のリブが前記孔の隙間を隠蔽するようになる。そのため、取付用の孔を直接見ることがなくなり、外観上の見栄えがよい。その他は請求項１の発明の場合と同じである。
【０００９】
本発明の請求項３の手段は、前記請求項１の構成に加えて、係止片が棚板取付用孔の内周面に弾性的に当接し得る浮き上がり防止用の弾性片を備えている。
この請求項３の発明によれば、請求項１の発明の構成に加えて、係止片が浮き上がり防止用の弾性片を備えている。そのため、弾性片は、係止片を棚板取付用孔内へ挿通すると、孔内面に対して弾性的に押圧された状態で装着される。従って、常に係止片を一方向へ付勢することになり、係止片の浮き上がりを防止することが可能である。
【００１０】
【発明の実施の形態】
以下に、本発明の構成を図面に示す発明の実施の形態に基づいて説明すると次の通りである。図１乃至図４はトイレ室のキャビネット１２へ棚板１０を取り付けるようにした第１の実施の形態に係るものであり、図１の図（Ａ）は棚板１０の取付後の状態を示す側面図、図（Ｂ）は同底面図、図（Ｃ）は係止片１１の部分を示す平面図、図（Ｄ）は図（Ａ）のＸ−Ｘ線断面図、図３はトイレ室内へ組み込んだ状態を示すキャビネット１２の正面図、図４の図（Ａ）はキャビネット１２の天板を取り除いた状態の平面図、図（Ｂ）は背板と左右の側面板との関係を示す背面側から見た斜視図、図（Ｃ）は扉の部分拡大横断面図である。同図に示す如く、トイレ室のキャビネット１２は、背板１３と、左右の側面板１４Ａ，１４Ｂと、前面板１５と、天板１６とからなる。
【００１１】
背板１３は、図４の図（Ａ）及び図（Ｂ）に示すように、トイレ室の背面側の壁面１７Ａの間柱１８若しくは横桟等があればこれらの建物躯体の骨組みに固定される。そして、この背板１３に対して左右の側面板１４Ａ，１４Ｂがビス１９等により固定される。固定の順序としては、背板１３に左右の側面板１４Ａ，１４Ｂを取り付けた後、背板１３を建物躯体側へビス１９等により固定するようにすればよい。左右の側面板１４Ａ，１４Ｂの下端側は、Ｌ型金具等を用いて床に固定すればよい。なお、左右の側面板１４Ａ，１４Ｂの背面壁１７Ａ側の下部には、配管スペース又は幅木用の逃がし１４Ｃが切欠き形成されている。更に、左右の側面板１４Ａ，１４Ｂの上部壁面よりには、壁面１７Ａへ既に設置してある横桟若しくは補強材などの逃がし１４Ｄが形成されている。
【００１２】
図３に示すように、前面板１５は、上下に分割され、そのうちの下部側が更に左右に分割されており、上部分割片１５Ａと、下部左側分割片１５Ｂと、下部右側分割片１５Ｃとから成る。上下に分割する位置は、便器本体２０のリム通水路２１の下方側にしている。これは、上下の分割ラインＨが便器本体２０の上面よりも低い位置に形成され、安定した印象を与えるからである。また前面板１５の上下の分割片１５Ａ〜１５Ｃを、便器本体２０の形状に沿わせるように製作することが容易となるからである。
【００１３】
上部分割片１５Ａの場合は、便器本体２０の後部上面に上方から跨がることのできるようにコ字状の突出部２２Ａ，２２Ｂを形成し、矩形状の切欠き２３を設ければよい。また下部側の左右の分割片１５Ｂ及び１５Ｃについては、内側端面をそれぞれ便器本体２０の左右側面形状に倣った形状にすればよく、リム通水路２１の下方側の凹部に対応する位置には、該凹部に向かって突出する凸部２４Ａ，２４Ｂが形成されている。これにより、便器本体２０の左右側面のそれぞれについて独立して製作できるので、その作業が極めて容易である。これらの各分割片１５Ａ〜１５Ｃは、左右の側面板１４Ａ，１４Ｂの木口にダボ嵌合方式又はビスなどにより固定されている。
【００１４】
また下部側の分割片１５Ｂ及び１５Ｃの内側縁には、可撓性を有する緩衝材（図示せず）が取り付けられており、便器本体２０の外周面との間に隙間が形成されないようになされている。
なお、天板１６の上面に設けられた開口部には、洗浄タンク２５の手洗い吐水管２６を含めた手洗い吐水鉢部２７が嵌合装着されている。
【００１５】
またキャビネット１２の左右側面には、それぞれ壁面１７Ｂ，１７Ｃとの間に形成された収納空間Ａ及びＢに、ＡＢＳ樹脂等で成形された棚板１０がそれぞれ上下に二段ずつ配設されている。棚板１０は、取付パネルとしてのキャビネット側面板１４Ａ，１４Ｂの取付用孔３３に係止片１１を差し込むことで脱着自在に取り付けられるようになっている。また棚板１０は、水平な本体部２８の周縁に下向きのスカート部２９が突出形成されており、背面側のスカート部２９Ａは他の三周縁のスカート部２９よりも長く形成されている。これは、取付後の状態において、スカート部２９Ａを側面板１４Ａ，１４Ｂに接合させることによって、棚板１０の先端側が水勢状態の姿勢から垂れ下がるのを防止するためである。棚板１０の底面側には、補強用のリブ３０が数条設けられている。
【００１６】
更に、棚板１０の先端側には、所定幅を以て切断除去しやすいように、切り込み３１及び三周縁側にスカート部２９Ｂを形成した切断用のブロック単体３２Ａ，３２Ｂが一体的に形成されている。このブロック単体３２Ａ，３２Ｂは、前記収納空間Ａ及びＢに対する棚板１０の寸法調整を行うためのものであり、必要に応じて切り込み３１の部分からブロック単体３２Ａの一つ又は３２Ａと３２Ｂの双方を個切断除去して寸法調整を行うようになっている。
【００１７】
更にまた、棚板１０の背面側には、側面板１４Ａ，１４Ｂに設けられた棚板取付用の孔（丸孔）３３に装入することのできる係止片１１が所定間隔を開けて二カ所に一体成形で設けられている。係止片１１は、後方へ突出する基部１１Ａと該基部１１Ａから斜め上方へ立ち上がる傾斜部１１Ｂとを有している。傾斜部１１Ｂの上部側には、棚板取付用孔３３を貫通して側面板１４Ａ，１４Ｂの背面側に当接係止させるためのフック３４が立設されている。フック３４と基部１１Ａとの境界部分（コーナー部）には、応力を分散させるための凹部３５が形成されている。凹部３５がないとコーナー部に応力が集中し、亀裂が発生しやすいからである。係止片１１の両側面には、棚板取付用孔３３の内周面と当接してその左右方向の揺動を防止するためのリブ３６Ａ，３６Ｂが形成されている。また基部１１Ａと傾斜部１１Ｂとの境界部分の上下方向面にも上下方向の揺動を防止するためのリブ３７Ａ，３７Ｂが形成されている。更に、係止片１１の基部１１Ａと棚板１０の上面との境界部分には、棚板取付用の孔３３の上半部を隠蔽するための閉塞用リブ３８が半円状に突出形成されている。
【００１８】
このように構成された棚板１０は、収納空間Ａ，Ｂの大きさに応じて切断用ブロック単体３２Ａの一つ又はそれに加えて３２Ｂの双方が切断除去され、寸法調整が行われる。そして、この状態でキャビネット１２の側面板１４Ａ，１４Ｂの孔３３へ棚板１０の係止片１１を差し込んで取り付ける。差し込みは、先ず、係止片先端の傾斜部１１Ｂが、丸孔３３の軸心線と平行になるように装入する。続いて、傾斜部１１Ｂが側面板１４Ａ，１４Ｂの背面側へ突き出た後は、次第に棚板１０を押し下げて基部１１Ａが丸孔３３の軸心線と平行になるように回動させて、図２で示すように、棚板１０が水平状態となるようにする。
【００１９】
このとき、傾斜部１１Ｂの上部側に形成されたフック３４が、丸孔３３の上方に位置する側面板１４Ａ，１４Ｂの背面側に当接し、また棚板１０の背面側のスカート部２９Ａが丸孔３３の下方に位置する側面板１４Ａ，１４Ｂの前面側に当接し、棚板１０の上下方向の揺動が抑制され、固定される。一方、係止片１１の両側面に設けたリブ３６Ａ，３６Ｂが丸孔３３の内周面と当接し、左右方向の揺動を抑制する。それに加えて、係止片１１の垂直方向のリブ３７Ａ，３７Ｂが丸孔３３の上下方向の内周面と当接し、上下方向の揺動を抑制する。更に、この図２に示す取付後の状態において、閉塞用のリブ３８が棚板１０の上方に位置する丸孔３３を隠蔽するので、外部から丸孔３３が直接見えることはなく、外観上の見栄えが良好である。
【００２０】
ところで、この第１の実施の形態におけるキャビネット１２の前面側の左右には、図４の図（Ａ）及び図（Ｃ）に示すように、それぞれ壁面１７Ｂ，１７Ｃとの間に形成された収納空間Ａ及びＢを開閉するための開閉扉３８及び３９が設けられている。天板１６は、キャビネット１２と、収納空間Ａ及びＢを含めた左右の開閉扉３８及び３９の全体に被さるように一体的に形成されている。左右の開閉扉３８，３９はそれぞれ固定板３８Ａ，３９Ａと可動板３８Ｂ，３９Ｂとを備えており、可動板３８Ｂ，３９Ｂを固定板３８Ａ，３９Ａに対して移動させて、左右の壁面１７Ａ，１７Ｂまでの寸法に合わせることができるようになされている。寸法調整は、図４の図（Ｃ）に示すように、可動板３８Ｂ，３９Ｂに長孔４０を形成し、ビス４１を緩めて可動板３８Ｂ，３９Ｂを固定板３８Ａ，３９Ａに対して進退させることにより行っている。開閉扉２８及び３９の開閉は、キャビネットの側面板１４Ａ，１４Ｂに取り付けたヒンジ４２を介して行うようになされている。開閉扉３８及び３９を開閉することにより、収納空間Ａ及びＢの棚板１０に物を収納したり、これから取り出したりできるようになっている。
【００２１】
図５は本発明の第２の実施の形態に係る棚板４３を示すものであり、図（Ａ）は側面図、図（Ｂ）は底面図、図（Ｃ）は背面図、図（Ｄ）は図（Ａ）のＹ−Ｙ線断面図である。同図に示す如く、この実施の形態にあっては、係止片４４の後端側に下方へ折り返して一体成形された弾性片４５を設けている。弾性片４５はその先端部４５Ａが棚板４３の上面に対して平行に形成されており、丸孔３３へ装入されたときに、丸孔３３の底部側に弾性的に当接し、棚板４３を丸孔３３の上部側へ押圧付勢することで、棚板４３の上下方向のガタツキを防止するようにしている。その他の係止片４４の構成並びに作用効果は、前記第１の実施の形態の係止片１１の場合と同じである。
【００２２】
【発明の効果】
以上説明したように請求項１の発明にあっては、取付パネルに棚板取付用の孔を穿設し、棚板の背面側に前記棚板取付用の孔へ挿通することのできる係止片を設けて成り、該係止片は棚板取付用孔の背面側上部の取付パネルに係止するフックと、棚板取付用の孔内面に当接する揺動防止用のリブとを備えている。これにより、棚板取付用の係止片は、取付パネルの孔に挿通することが可能であり、挿通した後において、係止片のフックが取付パネルの背面側に当接して係止するので、棚板の落下が防止される。また係止片には、取付用孔の内面に当接する揺動防止用のリブが設けられているので、棚板の左右方向の動きが規制され、ガタツクということがない。
【００２３】
また請求項２の発明にあっては、取付パネルに棚板取付用の孔を穿設し、棚板の背面側に前記棚板取付用の孔へ挿通することのできる係止片を設けて成り、該係止片は棚板取付用孔の背面側上部の取付パネルに係止するフックと、棚板取付用の孔内に当接する揺動防止用のリブと、棚板取付用孔の隙間を隠蔽するための閉塞用のリブとを有している。この発明では、棚板を取り付けた後に正面側から棚板取付用孔を見たときに、閉塞用のリブが前記孔の隙間を隠蔽するようになる。そのため、取付用の孔を直接見ることがなくなり、外観上の見栄えがよい。その他は請求項１の発明の場合と同じである。
【００２４】
更に、請求項３の発明にあっては、係止片が棚板取付用孔の内周面に弾性的に当接し得る浮き上がり防止用の弾性片を備えている請求項１又は２に記載の棚板の取付構造である。この請求項３の発明によれば、弾性片は、係止片を棚板取付用孔内へ挿通すると、孔内面に対して弾性的に押圧された状態で装着され、常に係止片を一方向へ付勢するようになる。これにより、係止片の浮き上がりを防止することが可能である。
【図面の簡単な説明】
【図１】本発明の第１の実施の形態に係るものであり、図（Ａ）は棚板の取付後の状態を示す側面図、図（Ｂ）は同底面図、図（Ｃ）は係止片の部分を示す平面図、図（Ｄ）は図（Ａ）のＸ−Ｘ線断面図である。
【図２】本発明の第１の実施の形態に係るものであり、図１の図（Ａ）の部分拡大図である。
【図３】本発明の第１の実施の形態に係るものであり、トイレ室内へ組み込んだ状態を示すキャビネットの正面図である。
【図４】本発明の第１の実施の形態に係るものであり、図（Ａ）はキャビネットの天板を取り除いた状態の平面図、図（Ｂ）は背板と左右の側面板との関係を示す背面側から見た斜視図、図（Ｃ）は扉の部分拡大横断面図である。
【図５】本発明の第２の実施の形態に係る棚板を示すものであり、図（Ａ）は側面図、図（Ｂ）は底面図、図（Ｃ）は背面図、図（Ｄ）は図（Ａ）のＹ−Ｙ線断面図である。
【図６】従来の棚板取付構造の一例を示す斜視図である。
【図７】従来のトイレ室のキャビネットを示す斜視図である。
【符号の説明】
１０…棚板、１１…係止片、１１Ａ…基部、１１Ｂ…傾斜部、１２…キャビネット、１４Ａ，１４Ｂ…側面板、２９…スカート部、２９Ａ…背面側スカート部、３３…棚板取付用孔、３４…フック、３５…凹部、３６Ａ，３６Ｂ…左右方向の揺動防止用リブ、３７Ａ，３７Ｂ…上下方向の揺動防止用リブ、３８…
閉塞用のリブ、４５…弾性片
【図１】
2004024292.tif 000003
【図２】
2004024292.tif 000004
【図３】
2004024292.tif 000005
【図４】
2004024292.tif 000006
【図５】
2004024292.tif 000007
【図６】
2004024292.tif 000008
【図７】
2004024292.tif 000009